(57)【要約】      （修正有）【課題】簡単に持運びができ、記念品として持ち帰った後もいつまでも想い出として残るような記念贈答品を提供する。【解決手段】キャンディ類のお菓子或いは事務小物品等の記念品を内包する複数個の立方体容器１０と該立方体容器を収納する収容ボックス２０とからなり、複数個の立方体容器の表面には記念となる月・日或いは時・分を表す数字が印刷され、収容ボックスは立方体容器を複数個並べて収納できる大きさの収納部を備えて構成する。【選択図】図９
0003156041.tif 000002
【実用新案登録請求の範囲】
【請求項１】
キャンディ類のお菓子或いは事務小物品等の記念品を内包する複数個の立方体容器と該立方体容器を収納する収容ボックスとからなることを特徴とする記念贈答品。
【請求項２】
前記複数個の立方体容器の表面には記念となる月・日或いは時・分を表す数字が印刷されていることを特徴とする請求項１記載の記念贈答品。
【請求項３】
前記収容ボックスは前記立方体容器を複数個並べて収納できる大きさの収納部を備えたことを特徴とする請求項１記載の記念贈答品。
【請求項４】
前記収容ボックスの収納部は該収納部の各辺を折曲して前記立方体容器を収納できるようにしたことを特徴とする請求項３記載の記念贈答品。
【請求項５】
前記収容ボックスの収納部の高さは前記立方体容器の高さより低くしたことを特徴とする請求項３又は請求項４記載の記念贈答品。
【考案の詳細な説明】
【技術分野】
【０００１】
本考案は、結婚式や誕生日パーティの参列者に想い出として残すための記念贈答品に関するものである。
【背景技術】
【０００２】
結婚式や誕生日パーティの際には、その参列者に記念品を贈答している。贈答品としては菓子類が用いられることが多く、単に菓子等を収納可能な容器に詰めて贈答する場合が多かった。もちろん結婚式の記念品を収納する容器には、ある程度の装飾が施されて見栄えが良いようにされてはいた。それでも、画一的で、ありふれた装飾であることから、贈られた者にとって印象深いものではなかった。
【０００３】
このような事情から、記念品を収納する容器に新郎新婦の写真が見えるようにして、贈答品を贈られる者に好印象を与えるように工夫したものもある（例えば、特許文献１参照）。
【先行技術文献】
【特許文献】
【０００４】
【特許文献１】登録実用新案第３０３１３３４号公報
【考案の概要】
【考案が解決しようとする課題】
【０００５】
しかしながら、新郎新婦の写真は、贈られる者にとっては二次元的なものに過ぎず、深い感動を与えることはできず持運びにも不便であった。一方、最近の傾向として、お菓子とか新郎新婦の手作り品をラッピングして、記念品として持ち帰って貰うケースが多いが、その場合でもお菓子を食べてしまったり、手作り品をラッピングから開封すると、いつまでも記念品として残るものではなかった。
【０００６】
本考案は、このような事情に鑑みてなされたものであり、簡単に持運びができ、記念品として持ち帰った後もいつまでも想い出として残るような記念贈答品を提供することを目的とする。
【課題を解決するための手段】
【０００７】
上記目的を達成するため、請求項１記載の考案は、キャンディ類のお菓子或いは事務小物品等の記念品を内包する複数個の立方体容器と該立方体容器を収納する収容ボックスとからなることを特徴とするものである。
【０００８】
また、請求項２記載の考案は、請求項１記載の記念贈答品であって、複数個の立方体容器の表面には記念となる月・日或いは時・分を表す数字が印刷されていることを特徴とするものである。
【０００９】
また、請求項３記載の考案は、請求項１記載の記念贈答品であって、収容ボックスは立方体容器を複数個並べて収納できる大きさの収納部を備えたことを特徴とするものである。
【００１０】
また、請求項４記載の考案は、請求項３記載の記念贈答品であって、収容ボックスの収納部は該収納部の各辺を折曲して立方体容器を収納できるようにしたことを特徴とするものである。
【００１１】
また、請求項５記載の考案は、請求項３又は請求項４記載の記念贈答品であって、収容ボックスの収納部の高さは立方体容器の高さより低くしたことを特徴とするものである。
【考案の効果】
【００１２】
本考案の記念贈答品によれば、キャンディ類のお菓子或いは事務小物品等の記念品を内包する複数個の立方体容器と該立方体容器を収納する収容ボックスとからなるのでラッピングが容易で持運びも簡単にできる。
【００１３】
また、複数個の立方体容器の表面には記念となる月・日或いは時・分を表す数字が印刷されているので記念品として持ち帰った後もいつまでも想い出として残すことができる。
【００１４】
また、収容ボックスは立方体容器を複数個並べて収納できる大きさの収納部を備え、収納部の高さは立方体容器の高さより低くしたので収納部に立方体容器を収納したとき収納部から立方体容器の上部を突出させることができ、収納部から立方体容器を取り外す際には突出させた上部を掴んで取り外せば簡単に行なうことができる。
【図面の簡単な説明】
【００１５】
【図１】本考案による立方体容器の一実施例を示す斜視図である。
【図２】図１の立方体容器を一枚の厚紙に展開した平面図である。
【図３】本考案による収容ボックスの第一の実施例を示す斜視図である。
【図４】図３の収容ボックスを一枚の台紙に展開した平面図である。
【図５】本考案による収容ボックスの第二の実施例を示す斜視図である。
【図６】図５の収容ボックスを一枚の台紙に展開した平面図である。
【図７】本考案による収容ボックスの第三の実施例を示す斜視図である。
【図８】図７の収容ボックスを一枚の台紙に展開した平面図である。
【図９】第一実施例の収容ボックスに立方体容器を収納した記念贈答品の実施例を示す斜視図である。
【図１０】第一実施例の収容ボックスに立方体容器を収納した記念贈答品の他の実施例を示す斜視図である。
【図１１】第二実施例の収容ボックスに立方体容器を収納した記念贈答品の実施例を示す斜視図である。
【図１２】第三実施例の収容ボックスに立方体容器を収納した記念贈答品の実施例を示す斜視図である。
【図１３】第三実施例の収容ボックスに立方体容器を収納した記念贈答品の他の実施例を示す斜視図である。
【考案を実施するための形態】
【実施例】
【００１６】
以下、本考案の実施例について図面を参照して説明する。１０は結婚式や誕生日パーティ或いは事務所開設の記念としてキャンディ類のお菓子或いは事務小物品等の記念品を内包する立方体容器であり、図１に示すように、立方体容器１０の６面からなる表面には数字が印刷されている。この数字は結婚式や誕生日パーティ或いは事務所開設の記念となる月・日或いは時・分を表す数字となる。
【００１７】
図２は立方体容器１０を一枚の厚紙に展開した状態の平面図であり、数字が印刷された表面１１、１２、１３、１４、１５、１６と糊代片１１ａ、折り曲げ片１２ａ、１２ｂ、１４ａ、１４ｂ、１５ａ、１６ｂからなる。
【００１８】
この厚紙を折り曲げて立方体容器１０を組み立てる手順を説明すると、横一列に並んだ表面１１、１２、１３、１４の境界線を山折りにして箱体を作り、糊代片１１ａを表面１４の内側に糊付け、折り曲げ片１２ａ、１２ｂ、１４ａ、１４ｂを折り曲げる。表面１１、１５の境界線を山折りにして、折り曲げ片１５ａを表面１３の内側に差し込む。同様にして表面１３、１６の境界線を山折りにして、折り曲げ片１６ｂを表面１１の内側に差し込む。
【００１９】
このようにして組み立てた立方体容器１０の表面に０、１、２、３、４、５の数字が印刷されたものを２個、０、１、２、６、７、８の数字が印刷されたものを２個準備して、０、１、２、３、４、５の数字が印刷されたものと０、１、２、６、７、８の数字が印刷されたものをそれぞれ組み合わせて月・日或いは時・分を表わすことができる。尚、数字９を表す場合は、６を上下ひっくり返せば対応できる。
【００２０】
次に、立方体容器を収納する収容ボックスの各実施例について説明する。図３は第一実施例の収容ボックスを示す斜視図であり、２０は立方体容器１０を収納する収容ボックスで、月を表す数字が印刷された立方体容器１０を２つ並べて収納できる大きさの収納部２１、日を表す数字が印刷された立方体容器１０を２つ並べて収納できる大きさの収納部２２を備えている。
【００２１】
図４は収容ボックス２０を一枚の台紙に展開した状態の平面図であり、収納部２１、２２が設けられた上面片２３、底となる底面片２４、側面となる側面片２５、２６、２７、２８、糊代片２４ａ、折り曲げ片２５ａ、２５ｂ、２６ａ、２７ａ、２７ｂ、２８ａからなる。収納部２１に相当する箇所には切込み線により収納片２１ａ、２１ｂ、２１ｃ、２１ｄが設けられている。同様に収納部２２に相当する箇所には切込み線により収納片２２ａ、２２ｂ、２２ｃ、２２ｄが設けられている。
【００２２】
この台紙を折り曲げて収容ボックス２０を組み立てる手順を説明すると、上面片２３、側面片２５、２７、底面片２４の境界線を山折りにして糊代片２４ａを側面片２５の内側に糊付けして箱体を作る。上面片２３、側面片２６の境界線、上面片２３、側面片２８の境界線を山折りにして折り曲げ片２５ａ、２５ｂ、２７ａ、２７ｂを折り曲げ、折り曲げ片２６ａ、２８ａを底面片２４の内側に差し込む。
【００２３】
収納部２１に相当する箇所は該当する切込み線を切り取り収納片２１ａ、２１ｂ、２１ｃ、２１ｄを内側に折曲して収納部２１を形成する。収納部２１は月を表す立方体容器１０を２つ並べて収納できるようにした。
【００２４】
同様に収納部２２に相当する箇所は該当する切込み線を切り取り収納片２２ａ、２２ｂ、２２ｃ、２２ｄを内側に折曲して収納部２２を形成する。収納部２２は日を表す立方体容器１０を２つ並べて収納できるようにした。
【００２５】
収容ボックス２０の収納部２１、２２の高さは立方体容器１０の高さより低くしたので、収納部２１、２２に立方体容器１０を収納したとき収納部２１、２２から立方体容器１０の上部を突出させることができた。そのため収納部２１、２２から立方体容器１０を取り外す際には突出させた上部を掴んで取り外せば簡単に行なうことができる。
【００２６】
図５は第二実施例の収容ボックスを示す斜視図であり、３０は立方体容器１０を収納する収容ボックスで、月を表す数字が印刷された立方体容器１０を２つ並べて収納できる大きさの収納部３１、日を表す数字が印刷された立方体容器１０を２つ並べて収納できる大きさの収納部３２を備えている。第一実施例の収容ボックス２０と異なる点は、収容ボックス３０自体を収容ボックス２０より大きくした点である。
【００２７】
図６は収容ボックス３０を一枚の台紙に展開した状態の平面図であり、収納部３１、３２が設けられた上面片３３、底となる底面片３４、側面となる側面片３５、３６、３７、３８、糊代片３４ａ、折り曲げ片３５ａ、３５ｂ、３６ａ、３７ａ、３７ｂ、３８ａからなる。収納部３１に相当する箇所には切込み線により収納片３１ａ、３１ｂ、３１ｃ、３１ｄが設けられている。同様に収納部２２に相当する箇所には切込み線により収納片３２ａ、３２ｂ、３２ｃ、３２ｄが設けられている。
【００２８】
この台紙を折り曲げて収容ボックス３０を組み立てる手順を説明すると、上面片３３、側面片３５、３７、底面片３４の境界線を山折りにして糊代片３４ａを側面片３５の内側に糊付けして箱体を作る。上面片３３、側面片３６の境界線、上面片３３、側面片３８の境界線を山折りにして折り曲げ片３５ａ、３５ｂ、３７ａ、３７ｂを折り曲げ、折り曲げ片３６ａ、３８ａを底面片３４の内側に差し込む。
【００２９】
収納部３１に相当する箇所は該当する切込み線を切り取り収納片３１ａ、３１ｂ、３１ｃ、３１ｄを内側に折曲して収納部３１を形成する。収納部３１は月を表す立方体容器１０を２つ並べて収納できるようにした。
【００３０】
同様に収納部３２に相当する箇所は該当する切込み線を切り取り収納片３２ａ、３２ｂ、３２ｃ、３２ｄを内側に折曲して収納部２２を形成する。収納部２２は日を表す立方体容器１０を２つ並べて収納できるようにした。
【００３１】
図７は第三実施例の収容ボックスを示す斜視図であり、４０は立方体容器１０を収納する収容ボックスで、月を表す数字が印刷された２つの立方体容器１０と日を表す数字が印刷された２つの立方体容器１０と、その間に「：」の記号と曜日が印刷された１つの立方体容器１０を並べて収納できる大きさの収納部４１を備えている。第一実施例の収容ボックス２０、第二実施例の収容ボックス３０と異なる点は、収納部４１の数が１個である点である。
【００３２】
図８は収容ボックス４０を一枚の台紙に展開した状態の平面図であり、収納部４１が設けられた上面片４３、底となる底面片４４、側面となる側面片４５、４６、４７、４８、糊代片４４ａ、折り曲げ片４５ａ、４５ｂ、４６ａ、４７ａ、４７ｂ、４８ａからなる。収納部４１に相当する箇所には切込み線により収納片４１ａ、４１ｂ、４１ｃ、４１ｄが設けられている。
【００３３】
この台紙を折り曲げて収容ボックス４０を組み立てる手順を説明すると、上面片４３、側面片４５、４７、底面片４４の境界線を山折りにして糊代片４４ａを側面片４５の内側に糊付けして箱体を作る。上面片４３、側面片４６の境界線、上面片４３、側面片４８の境界線を山折りにして折り曲げ片４５ａ、４５ｂ、４７ａ、４７ｂを折り曲げ、折り曲げ片４６ａ、４８ａを底面片４４の内側に差し込む。
【００３４】
収納部４１に相当する箇所は該当する切込み線を切り取り収納片４１ａ、４１ｂ、４１ｃ、４１ｄを内側に折曲して収納部４１を形成する。収納部４１は時を表す２つの立方体容器１０、分を表す２つの立方体容器１０とその間に「：」の記号と曜日が印刷された１つの立方体容器１０を５つ並べて収納できるようにした。
【００３５】
曜日を印刷する場合は、月曜日を表わす「Ｍｏｎ．」、火曜日を表わす「Ｔｕｅｓ．」を背中合わせにして１つの面に、水曜日を表わす「Ｗｅｄ．」、木曜日を表わす「Ｔｈｕｒ．」を背中合わせにして１つの面に、金曜日を表わす「Ｆｒｉ．」、土曜日を表わす「Ｓａｔ．」を背中合わせにして１つの面に、残った最後の面に日曜日を表わす「Ｓｕｎ．」を印刷する。
【００３６】
続いて、第一実施例から第三実施例の収容ボックスに立方体容器を収納して記念贈答品とした各実施例について説明する。
【００３７】
図９は第一実施例の収容ボックス２０に立方体容器を収納した結婚式や誕生日パーティの記念日に好適な記念贈答品の実施例である。結婚式や誕生日パーティの記念として結婚式や誕生日パーティの記念日となる月と日を表す数字が印刷された立方体容器、例えば記念日が６月２５日の場合、０、６、２、５が印刷された４つの立方体容器１０を準備して、それぞれの立方体容器１０の中にキャンディ類のお菓子等の記念品を内包する。
【００３８】
０、６が印刷された立方体容器１０を２つ並べて収容ボックス２０の収納部２１に収納する。続いて２、５が印刷された立方体容器１０を２つ並べて収容ボックス２０の収納部２２に収納する。その記念贈答品をラッピングして記念品として持ち帰って貰う。
【００３９】
記念品として持ち帰りラッピングを開封してキャンディ等のお菓子を食べてからも、立方体容器１０を元に戻せば、６月２５日の記念日をいつまでも想い出として残すことができる。
【００４０】
また、４つの立方体容器は０、１、２、３、４、５の数字が印刷されたものが２個、０、１、２、６、７、８の数字が印刷されたものが２個からなるので、その組み合わせを変えれば別の記念日に変更できる。
【００４１】
変更する際、収容ボックスの収納部２１、２２の高さは立方体容器１０の高さより低くしたので、収納部２１、２２に立方体容器１０を収納したとき収納部２１、２２から立方体容器１０の上部を突出させることができる。そのため収納部２１、２２から立方体容器１０を取り外す際には突出させた上部を掴んで取り外せば簡単に行なうことができる。
【００４２】
次に、立方体容器を収容ボックスに収納して記念贈答品とした他の実施例を説明する。収納部２１に相当する箇所の収納片２１ａ、２１ｂ、２１ｃ、２１ｄ及び収納部２２に相当する箇所の収納片２２ａ、２２ｂ、２２ｃ、２２ｄを垂直ではなく斜めに折曲して収納部２１、２２を形成する。立方体容器１０を収納する際に、図１０に示すように、斜めにして収納すれば、水平に収納するよりも記念日を更に一層見やすくすることができる。
【００４３】
次に、図１１は第二実施例の収容ボックス３０に立方体容器を収納して事務所開設の記念日に好適な記念贈答品の実施例である。事務所開設の記念として事務所開設日となる月と日を表す数字が印刷された立方体容器、例えば開設日が４月１日の場合、０、４、０、１が印刷された４つの立方体容器１０を準備して、それぞれの立方体容器１０の中に事務小物品等の記念品を内包する。０、４が印刷された立方体容器１０を２つ並べて収容ボックス３０の収納部３１に収納する。続いて０、１が印刷された立方体容器１０を２つ並べて収容ボックス３０の収納部３２に収納する。更に、収容ボックス３０自体を大きくしたので、収容ボックス３０内にボールペン、定規のような長尺物３９を収納することができる。その記念贈答品をラッピングして記念品として持ち帰って貰う。
【００４４】
次に、図１２は第三実施例の収容ボックス４０に立方体容器を収納して誕生日パーティの記念に好適な記念贈答品の実施例である。誕生日パーティの記念として子供が生まれた時間である時と分を表す数字が印刷された立方体容器、例えば生まれた時間が６時２５分の場合、０、６、２、５が印刷された４つの立方体容器１０と「：」の記号が印刷された１つの立方体容器１０を準備して、それぞれの立方体容器１０の中にキャンディ類のお菓子等の記念品を内包する。０、６が印刷された２つの立方体容器１０と、２、５が印刷された２つの立方体容器１０と、その間に「：」の記号が印刷された１つの立方体容器１０を５つ並べて収容ボックス４０の収納部４１に収納する。その記念贈答品をラッピングして記念品として持ち帰って貰う。
【００４５】
また、時間の代わりに例えば６月２５日（月）のような日付と曜日を表わす場合は、図１３に示すように、収容ボックス４０をひっくり返し、０、６が印刷された２つの立方体容器１０と、２、５が印刷された２つの立方体容器１０と、その間に「Ｍｏｎ．」と「Ｔｕｅｓ．」が背中合わせに印刷された１つの立方体容器１０を５つ並べて収容ボックス４０の収納部４１に収納する。
【００４６】
第二実施例の収容ボックス３０、第三実施例の収容ボックス４０の場合も、第一実施例の収容ボックス２０の場合と同様に、立方体容器１０を収納する際に、図１０に示すように、斜めにして収納すれば、水平に収納するよりも記念日を更に一層見やすくすることができる。
【００４７】
以上説明したように、本考案の記念贈答品によれば、キャンディ類のお菓子或いは事務小物品等の記念品を内包する複数個の立方体容器と該立方体容器を収納する収容ボックスとからなるのでラッピングが容易で持運びも簡単にできる。
【００４８】
また、複数個の立方体容器の表面には記念となる月・日或いは時・分を表す数字が印刷されているので記念品として持ち帰った後もいつまでも想い出として残すことが可能となった。
【００４９】
しかも、収納部の高さは立方体容器の高さより低くしたので収納部に立方体容器を収納したとき収納部から立方体容器の上部を突出させることができ、収納部から立方体容器を取り外す際には突出させた上部を掴んで取り外せば簡単に行なうことができるようになった。
【符号の説明】
【００５０】
１０  立方体容器
２０  収容ボックス
３０  収容ボックス
４０  収容ボックス
２１、２２  収納部
３１、３２  収納部
４１  収納部
【図１】
0003156041.tif 000003
【図２】
0003156041.tif 000004
【図３】
0003156041.tif 000005
【図４】
0003156041.tif 000006
【図５】
0003156041.tif 000007
【図６】
0003156041.tif 000008
【図７】
0003156041.tif 000009
【図８】
0003156041.tif 000010
【図９】
0003156041.tif 000011
【図１０】
0003156041.tif 000012
【図１１】
0003156041.tif 000013
【図１２】
0003156041.tif 000014
【図１３】
0003156041.tif 000015